(57)【要約】【課題】  乾湿にかかわらず、回動体のスムーズな動作を確保することにより、良好なタッチ感を安定して得ることができるとともに、製造工程の簡略化によって製造コストを削減することができる鍵盤楽器の回動体支持構造を提供する。【解決手段】  押鍵に伴って回動する回動体４を支持する鍵盤楽器の回動体支持構造であって、回動体４を取り付けるためのフレンジ１１と、フレンジ１１および回動体４の一方に設けられ、二股状に分岐し、ピン孔１１ｂをそれぞれ有する２つの支持部１１ａ、１１ａと、フッ素樹脂の繊維で構成され、２つのピン孔１１ｂ、１１ｂにそれぞれ取り付けられた筒状の軸受け１２、１２と、フレンジ１１および回動体４の他方に設けられ、２つの軸受け１２、１２に通されたピン１３と、を備え、回動体４は、ピン１３および軸受け１２、１２を介してフレンジ１１に回動自在に支持されている。【選択図】  図２
2008051973.tif 000002
【特許請求の範囲】
【請求項１】
押鍵に伴って回動する回動体を支持する鍵盤楽器の回動体支持構造であって、
前記回動体を取り付けるためのフレンジと、
当該フレンジおよび前記回動体の一方に設けられ、二股状に分岐し、ピン孔をそれぞれ有する２つの支持部と、
フッ素樹脂の繊維で構成され、前記２つのピン孔にそれぞれ取り付けられた筒状の軸受けと、
前記フレンジおよび前記回動体の他方に設けられ、前記２つの軸受けに通されたピンと、を備え、
前記回動体は、前記ピンおよび前記軸受けを介して前記フレンジに回動自在に支持されていることを特徴とする鍵盤楽器の回動体支持構造。
【請求項２】
前記支持部は合成樹脂で構成されていることを特徴とする請求項１に記載の鍵盤楽器の回動体支持構造。
【発明の詳細な説明】
【技術分野】
【０００１】
本発明は、押鍵に伴って回動する回動体を支持する鍵盤楽器の回動体支持構造に関する。
【背景技術】
【０００２】
従来の鍵盤楽器の回動体支持構造として、例えば特許文献１に開示されたピアノのアクションフレンジが知られている。このフレンジは二股状に分岐した２つの軸受部を有しており、両軸受部には孔が同軸状に形成されている。各孔には、羊毛のクロスで構成されたブッシングクロスが取り付けられている。また、ブッシングクロスには１本のセンターピンが通されており、例えばアップライトピアノの場合、このセンターピンは、ハンマーを有するハンマー組立て品やダンパーなどに一体に取り付けられている。以上の構成により、ハンマー組立て品などは、センターピンおよびブッシングクロスを介して、フレンジに回動自在に支持されている。
【０００３】
ブッシングクロスは、例えば以下のようにして取り付けられる。まず、平板状の羊毛製のクロスを用意し、それを円筒状に丸め、軸受部の孔に嵌入して接着剤で接着する。そして、円筒状のブッシングクロスに所定の径のピンを嵌入することによって、ブッシングクロスを圧縮し、その状態で、所定の温湿度条件で所定の処理を行った後、ピンを取り外す。以上のような「セット」という工程により、ブッシングクロスは、円筒状に成形された状態で、軸受部の孔にセットされる。また、以上のような工程を行うことにより、湿度の変化に伴って発生するブッシングクロスの膨潤や収縮が抑制される。
【０００４】
しかし、ブッシングクロスを構成する羊毛のクロスは天然繊維であるため、湿度変化に伴う膨潤や収縮を十分に抑制できず、それによる不具合が発生することがある。具体的には、湿度の上昇に伴ってブッシングクロスが膨潤した場合には、センターピンが圧迫されることにより、例えばハンマーが回動する際のセンターピンとブッシングクロスとの間の摩擦力が増大する結果、ハンマーのスムーズな回動が阻害されるとともに、鍵のタッチ重さが重くなり、鍵のタッチ感が変化してしまう。
【０００５】
逆に、ブッシングクロスが湿度の低下に伴って収縮した場合には、センターピンとの間に隙間が生じることにより、ハンマー組立て品にがたつきが発生し、やはりハンマーのスムーズな回動が阻害されるおそれがある。また、従来のフレンジでは、湿度変化に伴うブッシングクロスの膨潤や収縮を抑制するために、製造工程において前述したような「セット工程」などの煩雑な処理を行っているため、製造コストが増大してしまう。
【０００６】
本発明は、上記のような課題を解決するためになされたものであり、乾湿にかかわらず、回動体のスムーズな動作を確保することにより、良好なタッチ感を安定して得ることができるとともに、製造工程の簡略化によって製造コストを削減することができる鍵盤楽器の回動体支持構造を提供することを目的としている。
【０００７】
【特許文献１】特開平８−２４１０７４号公報
【発明の開示】
【課題を解決するための手段】
【０００８】
上記の目的を達成するために、本発明の請求項１に係る発明は、押鍵に伴って回動する回動体を支持する鍵盤楽器の回動体支持構造であって、回動体を取り付けるためのフレンジと、フレンジおよび回動体の一方に設けられ、二股状に分岐し、ピン孔をそれぞれ有する２つの支持部と、フッ素樹脂の繊維で構成され、２つのピン孔にそれぞれ取り付けられた筒状の軸受けと、フレンジおよび回動体の他方に設けられ、２つの軸受けに通されたピンと、を備え、回動体は、ピンおよび軸受けを介してフレンジに回動自在に支持されていることを特徴とする。
【０００９】
この鍵盤楽器の回動体支持構造では、例えばハンマーやウィッペンなどの回動体、およびフレンジの一方に設けられた二股状の２つの支持部のピン孔に、フッ素樹脂の繊維で構成された筒状の軸受けがそれぞれ取り付けられている。また、これらの軸受けには、回動体およびフレンジの他方に設けられたピンが通されており、以上の構成により、回動体は、ピンおよび軸受けを介してフレンジに回動自在に支持されている。このように、ピンが直接、接触する軸受けがフッ素樹脂繊維で構成され、また、フッ素樹脂は摺動性能に優れていることから、回動体が回動する際にピンと軸受けとの間に作用する摩擦力を、従来よりも低減させることができる。その結果、回動体は、押鍵に伴ってスムーズに回動することができる。
【００１０】
また、フッ素樹脂は合成樹脂の１つであり、湿度変化に対する寸法安定性に優れているので、湿度が変化した場合でも、軸受けのサイズがほとんど変化せず、ピンが軸受けに対してきつくなったり、緩くなったりすることがない。したがって、乾湿にかかわらず、回動体のスムーズな動作を確保することができる。また、フッ素樹脂は耐摩耗性にも優れていることにより、軸受けの摩耗を抑制でき、それにより、回動体のがたつきを防止することができる。さらに、例えば回動体に、その回動方向や軸方向に大きな負荷がかかっても、フッ素樹脂繊維がもつ弾力性によって、軸受けが緩衝材になるので、軸受けを支持する支持部の変形を防止することができる。以上により、回動体のスムーズな動作と、それによる安定したタッチ重さおよび良好なタッチ感を、長期にわたって維持することができる。
【００１１】
また、本発明による回動体支持構造は、従来のものと比較して軸受けの材質が異なるだけなので、従来とほぼ同じ組立て工程により製造することができる。また、上述したようにフッ素樹脂繊維の軸受けは乾湿の影響を受け難いことから、軸受けの膨潤および収縮を抑制するための「セット工程」のような従来の煩雑な工程を省略でき、したがって、製造コストを削減することができる。
【００１２】
請求項２に係る発明は、請求項１に記載の鍵盤楽器の回動体支持構造において、支持部は合成樹脂で構成されていることを特徴とする。
【００１３】
この構成によれば、支持部が合成樹脂で構成されていることにより、温度や湿度が変化した場合でも、支持部は膨張および収縮することなく一定のサイズに保たれる。その結果、支持部に設けられたピン孔のサイズも一定に保たれるので、温度や乾湿にかかわらず、回動体のスムーズな動作を確実に維持することができる。
【発明を実施するための最良の形態】
【００１４】
以下、本発明の好ましい実施形態を、図面を参照しながら詳細に説明する。図１は、本発明の第１実施形態による回動体支持構造を用いたアップライトピアノのアクション１、鍵盤２、およびハンマー３を有するハンマー組立て品４などを、離鍵状態において示している。なお、以下の説明では、演奏者側から見たときのアップライトピアノの手前側を「前」、奥側を「後」として説明する。
【００１５】
鍵盤２は、アップライトピアノの左右方向に並んだ多数の鍵２ａ（１つのみ図示）によって構成されている。各鍵２ａは、前後方向（図１の左右方向）に延び、その中央において、棚板１０上の筬５にバランスピン５ａを中心として回動自在に支持されている。
【００１６】
棚板１０の左右の端部には、アクションブラケット（図示せず）がそれぞれ設けられており、アクション１は、鍵盤２の後端部の上方に配置され、両アクションブラケットの間に設けられている。また、アクション１は、ウィッペン２１、ジャック２２およびバット２３などを有しており、これらは、鍵２ａごとに設けられている（いずれも１つのみ図示）。また、図２に示すように、バット２３の上面にはハンマー３が取り付けられており、両者２３、３などによってハンマー組立て品４（回動体）が構成されている。
【００１７】
また、左右のアクションブラケットの間には、センターレール６およびハンマーレール７などが渡されており、このセンターレール６の前面上端部には、バットフレンジ１１（フレンジ）が、バットフレンジスクリュー１１ｃによって固定され、鍵２ａごとに設けられている。各バットフレンジ１１は合成樹脂で構成され、その上部には、二股状に分岐した左右２つの支持部１１ａ、１１ａが設けられている。各支持部１１ａには、左右方向に貫通するピン孔１１ｂが形成されており、これらのピン孔１１ｂ、１１ｂは互いに同軸状になっている。
【００１８】
各ピン孔１１ｂには軸受け１２が取り付けられている。軸受け１２は、フッ素樹脂の繊維で構成された例えば市販の平板状のフェルトを、筒状に丸めたものであり、支持部１１ａのピン孔１１ｂに挿入されるとともに、例えば接着剤で接着されている。フッ素樹脂の繊維は、従来の羊毛と比較して、湿度変化に対する寸法安定性が非常に優れている。具体的には、フッ素樹脂は合成樹脂であり、吸湿性がないため、それにより構成された繊維には、湿度変化に伴う膨潤または収縮が発生しない。また、フッ素樹脂は、摩擦係数が非常に小さく、優れた滑性を有するとともに耐摩耗性にも優れている。以上のように、フッ素樹脂の繊維で構成された軸受け１２は、湿度変化に対する寸法安定性、高い滑性および耐摩耗性を兼備しており、軸受けとして優れた性質を有している。
【００１９】
また、支持部１１ａ、１１ａの軸受け１２、１２には、１本のセンターピン１３（ピン）が通され、取り付けられている。また、センターピン１３の左右の支持部１１ａ、１１ａの間の部分は、ハンマー組立て品４のバット２３の下端部とバットプレート２３ａとの間に挟み付けられた状態で、バットプレートスクリュー２３ｂによって固定されており、それにより、センターピン１３はバット２３と一体になっている。以上の構成によって、ハンマー組立て品４は、センターピン１３および左右の軸受け１２、１２を介してバットフレンジ１１に回動自在に支持されている。
【００２０】
ウィッペン２１（回動体）は合成樹脂で構成され、所定の形状に形成されており、下方に突出するヒール部２１ａを有し、このヒール部２１ａを介して、対応する鍵２ａの後端部に設けたキャプスタンボタン２ｂに載置されている。また、ウィッペン２１は、その後端部において、ウィッペンフレンジ１４（フレンジ）に支持されている。図３に示すように、ウィッペンフレンジ１４は、上述したバットフレンジ１１と同様に構成されており、ピン孔１４ｂを有する二股状の左右の支持部１４ａ、１４ａと、各ピン孔１４ｂに取り付けられた軸受け１２などを有している。このウィッペンフレンジ１４は、支持部１４ａ、１４ａを下側にした状態で、センターレール６の後面の下端部にねじ止めされている。
【００２１】
ウィッペン２１の後端部は、左右方向に貫通するピン取付け孔２１ｂを有し、左右の支持部１４ａ、１４ａの間に配置されており、その状態で、１本のセンターピン１３が、左右の軸受け１２、１２と、これらの間のピン取付け孔２１ｂに通されている。センターピン１３はウィッペン２１に対して一体であり、ウィッペン２１は、センターピン１３および軸受け１２、１２を介してウィッペンフレンジ１４に回動自在に支持されている。
【００２２】
ウィッペン２１の前後方向の中央には、上方に延びるフレンジ部１５（フレンジ）が一体に設けられている。このフレンジ部１５は、前述したバットフレンジ１１およびウィッペンフレンジ１４と同様、ピン孔１５ｂを有する二股状の左右の支持部１５ａ、１５ａ、および各ピン孔１５ｂに取り付けられた軸受け１２、１２を有している。ジャック２２（回動体）は、このフレンジ部１５に取り付けられている。
【００２３】
ジャック２２は合成樹脂によって構成され、前後方向に延びる基部２２ａと、その後端部から上方に延びるハンマー突上げ部２２ｂによって、Ｌ字形に形成されている。基部２２ａとハンマー突上げ部２２ｂとの角部は、左右方向に貫通するピン取付け孔２２ｃを有し、左右の支持部１５ａ、１５ａの間に配置されており、その状態で、センターピン１３が、軸受け１２、１２、およびこれらの間のピン取付け孔２２ｃに通されている。センターピン１３はジャック２２に対して一体であり、ジャック２２は、センターピン１３および軸受け１２、１２を介してフレンジ部１５に回動自在に支持されている。
【００２４】
また、図１に示すように、センターレール６には、前方に延びる複数のレギュレティングブラケット８ａ（１つのみ図示）と、その前端部に取り付けられ、左右方向に延びるレギュレティングレール８ｂとが設けられている。また、レギュレーティングレール８ｂには、その下方において鍵２ａごとにレギュレティングボタン８ｃ（１つのみ図示）が取り付けられている。また、ウィッペン２１のウィッペンフレンジ１４よりも後側には、後述するダンパー２５を駆動するためのスプーン２４が立設されている。
【００２５】
また、センターレール６の上面には、ダンパーフレンジ１６（フレンジ）が取り付けられている。このダンパーフレンジ１６は、前述したバットフレンジ１１およびウィッペンフレンジ１４と同様に構成されており、ピン孔（図示せず）が形成された左右の支持部１６ａ、１６ａ（１つのみ図示）と、各ピン孔に取り付けられた軸受け１２、１２（１つのみ図示）を有している。このダンパーフレンジ１６は、支持部１６ａ、１６ａを後側にした状態でセンターレール６にねじ止めされている。
【００２６】
ダンパーフレンジ１６にはダンパー２５（回動体）が取り付けられている。ダンパー２５は、上下方向に延びるダンパーレバー２５ａ、ダンパーレバー２５ａに立設されたダンパーワイヤ２５ｂ、およびその上端部に取り付けられたダンパーヘッド２５ｃなどを有している。ダンパー２５は、ダンパーレバー２５ａの上下方向の中央に形成されたピン取付け孔（図示せず）、および左右の軸受け１２、１２に通されたセンターピン１３によって、ダンパーフレンジ１６に回動自在に支持されている。ダンパーヘッド２５ｃは、ダンパーレバースプリング２５ｄによって後方に付勢されており、離鍵状態では、後方に張られた弦Ｓに当接している。
【００２７】
以下、上述したアップライトピアノの押鍵の開始から終了までの一連の動作について、説明する。演奏者により、図１に示す離鍵状態から鍵２ａが押鍵されると、鍵２ａは、バランスピン５ａを中心として同図の時計方向に回動し、その後端部に載置されたウィッペン２１は、鍵２ａによって突き上げられることにより、センターピン１３を中心として上方（図１の反時計方向）に回動する。このウィッペン２１の回動に伴い、ダンパー２５がスプーン２４で駆動され、そのセンターピン１３を中心として時計方向に回動することによって、ダンパーヘッド２５ｃが弦Ｓから離れる。また、ジャック２２はウィッペン２１と一緒に上方に移動し、ハンマー３は、バット２３を介してジャック２２のハンマー突上げ部２２ｂで突き上げられることにより、バット２３のセンターピン１３を中心として、後方の弦Ｓに向かって反時計方向に回動する。
【００２８】
鍵２ａがさらに回動すると、ジャック２２の基部２２ａが、レギュレティングボタン８ｃに下方から当接する。これにより、ジャック２２は、レギュレティングボタン８ｃにより上方への移動が阻止されることによって、ウィッペン２１に対して、センターピン１３を中心として時計方向に回動する。
【００２９】
そして、鍵２ａがさらに回動したときに、ハンマー突上げ部２２ｂがバット２３から前方に外れ、ジャック２２がハンマー組立て品４から離脱する。ハンマー３は、ジャック２２が離脱した後にも慣性によって回動し、弦Ｓを打弦することにより振動させることによって、ピアノ音を発生させる。そして、ハンマー組立て品４は、弦Ｓの反発力によって、時計方向へ復帰回動する。
【００３０】
押鍵が終了し、鍵２ａが離鍵されるのに伴い、鍵２ａはバランスピン５ａを中心として、また、アクション１のウィッペン２１、ジャック２２およびダンパー２５は、押鍵時と逆方向に復帰回動し、最終的に離鍵状態に復帰する。
【００３１】
以上のように、本実施形態によれば、バットフレンジ１１、ウィッペンフレンジ１４、フレンジ部１５およびダンパーフレンジ１６に、滑性に優れたフッ素樹脂繊維で構成された軸受け１２が取り付けられ、ハンマー組立て品４、ウィッペン２１、ジャック２２およびダンパー２５のセンターピン１３が、対応するフレンジの軸受け１２に通されている。したがって、これらの回動体４、２１、２２および２５が回動する際にセンターピン１３と軸受け１２との間に作用する摩擦力を、従来よりも低減させることができ、それにより、各回動体は、押鍵に伴って非常にスムーズに回動することができる。また、アクション１およびハンマー３は、上記のような複数の回動体と、これらをそれぞれ回動自在に支持する支持構造との組合わせによって構成されているので、押鍵および離鍵に伴うアクション１およびハンマー３のスムーズな動作を確保することができる。
【００３２】
また、フッ素樹脂繊維は合成樹脂の１つであり、湿度変化に対する寸法安定性に優れているので、湿度が変化した場合でも、軸受け１２のサイズがほとんど変化せず、センターピン１３が軸受け１２に対してきつくなったり、緩くなったりすることがない。したがって、乾湿にかかわらず、回動体のスムーズな動作を確保することができる。また、フッ素樹脂繊維は耐摩耗性にも優れていることにより、軸受け１２の摩耗を抑制でき、それにより、回動体のがたつきを防止することができる。さらに、例えば回動体に、その回動方向や軸方向に大きな負荷がかかっても、フッ素樹脂繊維がもつ弾力性によって、軸受け１２が緩衝材になるので、軸受け１２を支持する支持部の変形を防止することができる。以上により、回動体のスムーズな動作と、それによる安定したタッチ重さおよび良好なタッチ感を、長期にわたって維持することができる。
【００３３】
また、前述した本実施形態の回動体支持構造は、従来のものと比較して軸受け１２の材質が異なるだけなので、従来とほぼ同じ組立て工程により製造することができる。また、フッ素樹脂繊維の軸受け１２は乾湿の影響を受け難いことから、軸受け１２の膨潤および収縮を抑制するための「セット工程」のような従来の煩雑な工程を省略でき、したがって、製造コストを削減することができる。
【００３４】
また、各部のフレンジ１１、１４、１５および１６が合成樹脂で構成されていることにより、温度や湿度が変化した場合でも、各フレンジの支持部は膨張および収縮することなく一定のサイズに保たれる。その結果、フレンジの支持部に形成されたピン孔のサイズも一定に保たれるので、温度や乾湿にかかわらず、回動体のスムーズな動作を確実に維持することができる。
【００３５】
図４は、本発明の第２実施形態による回動体支持構造を用いたグランドピアノのハンマー３１およびアクション３２を示している。アクション３２は、多数の鍵３０ａで構成された鍵盤３０の後端部の上方に設けられており、ウィッペンレール３４に取り付けられたウィッペン５１、およびウィッペン５１に回動自在に支持されたジャック５２およびレペティションレバー５３などを有している。
【００３６】
図５は、ハンマー３１（回動体）およびこれを支持するハンマーシャンクフレンジ４４を示している。このハンマーシャンクフレンジ４４は、合成樹脂で構成され、複数のブラケット３３、３３（図４に１つのみ図示）の間に渡されたハンマーレール３５の上面にねじ４４ａによって固定され、鍵３０ａごとに設けられている。ハンマーシャンクフレンジ４４の後端部および前部は、中央よりも幅が若干、狭くなっており、後端部には左右方向に貫通するピン取付け孔４４ｃが形成されている。また、ピン取付け孔４４ｃよりも前側の部分には、ドロップスクリュー４４ｂが下方からねじ込まれている。このドロップスクリュー４４ｂには、レペティションレバー５３が下方から対向している。
【００３７】
ハンマー３１は、前後方向に延びるハンマーシャンク３１ａ、およびその後端部に設けられたハンマーへッド３１ｂを有しており、ハンマーヘッド３１ｂは、上方に張られた弦Ｓに対向している。ハンマーシャンク３１ａは木材で構成され、その前端部が取付け部３１ｃになっている。この取付け部３１ｃは、断面矩形で、左右方向の幅が他の部分よりも広くなっており、その下面にはシャンクローラ３１ｄが取り付けられている。
【００３８】
また、取付け部３１ｃの前端部には、二股状に分岐した左右２つの支持部３１ｅ、３１ｅが設けられている。このように、前述したアップライトピアノの各部の回動体支持構造では、回動体を支持するフレンジ側に２つの支持部が設けられているのに対し、グランドピアノのハンマー３１の支持構造では、回動体であるハンマー３１側に支持部３１ｅ、３１ｅが設けられている。この支持構造は、前述したアップライトピアノの回動体支持構造と基本的に同様に構成されている。
【００３９】
具体的には、左右の支持部３１ｅ、３１ｅには、ピン孔３１ｆ、３１ｆが形成されており、各ピン孔３１ｆには軸受け１２、１２が取り付けられている。また、支持部３１ｅ、３１ｅは、ハンマーシャンクフレンジ４４の後端部の両側に配置されており、その状態で、１本のセンターピン１３が、軸受け１２、１２およびこれらの間のピン取付け孔４４ｃに通されている。センターピン１３は、ハンマーシャンクフレンジ４４に対して一体であり、ハンマー３１は、軸受け１２、１２およびセンターピン１３を介してハンマーシャンクフレンジ４４に回動自在に支持されている。また、離鍵状態においては、ハンマー３１は、そのシャンクローラ３１ｄを介してレペティションレバー５３によって下方から支持されている。
【００４０】
また、グランドピアノでは、他の回動体も、前述したアップライトピアノの各部の回動体支持構造と同様の支持構造により、回動自在に支持されている。アクション３２のウィッペン５１（回動体）は、軸受け１２に通されたセンターピン１３を中心として、ウィッペンフレンジ４１（フレンジ）に回動自在に支持されている。同様に、ジャック５２（回動体）はウィッペン５１の前端部のフレンジ部４２（フレンジ）に、レペティションレバー５３は（回動体）ウィッペン５１の中央のフレンジ部４３（フレンジ）に、それぞれ軸受け１２に通されたセンターピン１３を中心として回動自在に支持されている。また、図示しないが、アクション３２の後方に配置されたダンパーもまた、ダンパーレールにねじ止めされたダンパーレバーフレンジに、同様の支持構造を用いて回動自在に支持されている。
【００４１】
以上の構成によれば、鍵の押鍵に伴ってアクション３２が作動し、ウィッペン５１、ジャック５２、レペティションレバー５３およびダンパーは、それぞれのセンターピン１３を中心として回動する。ハンマー３１は、ジャック５２によりシャンクローラ３１ｄを介して突き上げられ、前端部のセンターピン１３を中心として図４の時計方向に回動することにより弦Ｓを打弦し、それにより、ピアノ音が発生する。
【００４２】
以上のように、本実施形態においても、各部の回動体は、押鍵に伴い、センターピン１３およびフッ素樹脂繊維で構成された軸受け１２を介して回動する。したがって、前述した第１実施形態と同様の効果を得ることができる。
【００４３】
なお、本発明は、上述した第１および第２実施形態に限定されることなく、種々の態様で実施することができる。例えば、第２実施形態では、木製のハンマーシャンク３１ａを用いているが、ハンマーシャンク３１ａの全体、または支持部３１ｅを含む部分を合成樹脂で構成してもよい。また、上述した第１および第２実施形態は、本発明による回動体支持構造を、アコースティックなピアノに用いた例であるが、例えば、回動体を有する電子ピアノなどの他の鍵盤楽器に用いてもよい。その他、細部の構成を、本発明の趣旨の範囲内で適宜、変更することが可能である。
【図面の簡単な説明】
【００４４】
【図１】本発明の第１実施形態による回動体支持構造を用いたアップライトピアノの鍵盤、アクションおよびハンマーなどを、離鍵状態において示す側面図である。
【図２】図１のハンマーおよびバットフレンジなどを分解した状態で示す斜視図である。
【図３】図１のウィッペン、ジャック、およびウィッペンフレンジなどを分解した状態で示す斜視図である。
【図４】本発明の第２実施形態による回動体支持構造を用いたグランドピアノの鍵盤、アクションおよびハンマーなどを、離鍵状態において示す側面図である。
【図５】図４のハンマーおよびハンマーシャンクフレンジを分解した状態で示す斜視図である。
【符号の説明】
【００４５】
１    アクション
４    ハンマー組立て品（回動体）
１１    バットフレンジ（フレンジ）
１１ａ  支持部
１２    軸受け
１３    センターピン（ピン）
１４    ウィッペンフレンジ（フレンジ）
１４ａ  支持部
１５    フレンジ部（フレンジ）
１５ａ  支持部
２１    ウィッペン（回動体）
２２    ジャック（回動体）
３１    ハンマー（回動体）
３１ｅ  支持部
３２    アクション
４１    ウィッペンフレンジ（フレンジ）
４２    フレンジ部（フレンジ）
４３    フレンジ部（フレンジ）
４４    ハンマーシャンクフレンジ（フレンジ）
５１    ウィッペン（回動体）
５２    ジャック（回動体）
５３    レペティションレバー（回動体）
【図１】
2008051973.tif 000003
【図２】
2008051973.tif 000004
【図３】
2008051973.tif 000005
【図４】
2008051973.tif 000006
【図５】
2008051973.tif 000007